(57)【要約】【課題】自動販売機の扉のこじ開け等の悪戯に対し、扉に設けている隙間隠し部材を工夫することによって、変形に強く、悪戯への抑止効果が得られる自動販売機の扉開放防止装置を提供する。【解決手段】扉隙間隠し部材３５は、扉２の開放端側に設けられ、一端をＵ字状に成型され、他端は扉内側に固定されている。一方自動販売機本体側の端部には補強部材２１が接合され、この補強部材２１にはＺ型に成型した本体隙間隠し部材３１の一端が固定され、他端は本体１と扉２の隙間を目隠しするよう本体１から凸部状に構成されている。扉閉時には、Ｚ型に成型した凸部状の一端が扉隙間隠し部材３５のＵ字形状に成型されＵ字溝３５ｅに入り込み、隙間部を２重に保護されている為、バール等の工具が本体１の内部への侵入を防ぐことができ、こじ開けに対する抑止効果を得ることができる。【選択図】  図２
2004252740.tif 000002
【特許請求の範囲】
【請求項１】
自動販売機の本体前面に開閉自在に軸支された扉と、前記扉の開放側であって、本体端部に本体内側より延設された本体側隙間隠し部材と、扉端部に延設された扉側隙間隠し部材とからなり、前記扉側隙間隠し部材は断面がＵ字形状部を有し、扉を閉じた時、前記本体側隙間隠し部材が前記扉側隙間隠し部材のＵ字形状部に入り込む構成としたことを特徴とする自動販売機の扉開放防止装置。
【請求項２】
自動販売機の本体前面に開閉自在に軸支された扉と、前記扉の開放側であって、本体端部に本体内側より延設された本体側隙間隠し部材と、扉端部に延設された扉側隙間隠し部材とからなり、前記本体側隙間隠し部材と前記扉側隙間隠し部材が３面以上の相対する面を形成したことを特徴とする自動販売機の扉開放防止装置。
【請求項３】
本体側隙間隠し部材は本体内側に設けられた補強部材にネジ部材にて取付けられ、本体外部からは前記ネジ部材が見えない取付構造としたことを特徴とする請求項１または請求項２に記載の自動販売機の扉開放防止装置。
【請求項４】
本体内側に接合された補強部材は断面がコの字形状部を有し、前記本体側隙間隠し部材を前記補強部材に取付けた時、ネジ部材先端が前記コの字形状部の空間内に収まることを特徴とした請求項１から３のいずれか一項に記載の自動販売機の扉開放防止装置。
【請求項５】
扉を閉じた時に、扉を本体にロックする鉤状部を有するロック部材を複数本体内側に設け、前記ロック部材の鉤状部が挿通する孔を本体側隙間隠し部材に設け、補強部材を取付けることにより、前記ロック部材の取付ネジ部材を隠蔽することを特徴とする請求項１から４のいずれかに記載の自動販売機の扉開放防止装置。
【請求項６】
ロック部材の鉤状部が挿通する孔を扉側隙間隠し部材に設け、扉を閉じた時に、前記本体側隙間隠し部材と前記扉側隙間隠し部材とが共に前記ロック部材によって貫通されていることを特徴とする請求項１から５のいずれか一項に記載の自動販売機の扉開放防止装置。
【発明の詳細な説明】
【０００１】
【発明の属する技術分野】
本発明は自動販売機の扉開放防止装置に関するものである。
【０００２】
【従来の技術】
各種自動販売機等は、無人で週刊誌やジュースや酒等を手軽に販売することができるため、駅やビルの構内、酒店や煙草店の店先、あるいは昼間の通行が多い道路端等に多数設置され、売上を稼ぐようにすることが一般的である。また自動販売機の役割である無人店舗として稼動している場合も多い。
【０００３】
ところが最近、人通りの少なくなる夜間、道路端に設置されている自動販売機では深夜、扉等がバールで簡単にこじ開けられ、中の商品や金銭が盗難にあう被害が増大している。この為自動販売機の扉側に本体と扉の隙間を目隠しするよう扉カバーを取付けられているが、目隠しが１重でありバールにて簡単に変形させ開放することにより施錠部を破壊する被害が増大している。また各種の防盗ツール部品にて自動販売機を堅牢化しているが自販機本体からはみ出し設置面積が大きくなり大幅なコストＵＰとなっている。
【０００４】
従来の自動販売機の扉開放防止装置としては、以下に示すものが一般的な自動販売機の扉構造である。
【０００５】
従来の自動販売機の外観は図１に示す本発明に示す扉開放防止装置を備えた自動販売機と同様であり、商品を収納する本体１と自動販売機の前面に配置し、ヒンジ３を介して回動自在に軸支された開閉可能な扉２が設けられ、扉２には、前面が透明パネル４で仕切られた商品展示室と透明パネル４に取り付けられた商品選択ボタン５と扉２を施錠するためのハンドルレバー６と商品を購入するために硬貨を投入する硬貨投入口７と紙幣を投入するための紙幣識別装置８と金銭を投入した時に金額を表示するための金額表示装置９と商品購入時に釣銭を返却するための釣銭返却口１０と購入商品を取り出すための商品取出し口１１を備えている。
【０００６】
図４は、従来の自動販売機の扉開放防止装置の扉閉時のＡ部の断面図である。
【０００７】
図４において、本体１の側板１ａの内側に上下端に延びる補強部材２１が接合されており、その補強部材２１に先端が鉤状（図示しない）のロック部材２２がネジ２３ａにて取付けられている。扉２の内側にＬ字状のカバー部材２４が取付られており、扉２の内部には扉を閉めたときにロック部材２２と嵌合し扉をロックするためのスライド部材２５が設けられている。
【０００８】
以上のように構成された自動販売機の扉開放防止装置について、以下その動作を説明する。
【０００９】
まず、扉２を閉めた状態では、ロック部材２２がスライド部材２５の挿通孔（図示しない）に入り込み、ロック部材２２の先端の鉤状部がスライド部材２５と嵌合する。この状態で扉２はロックされた状態となる。さらにハンドルレバー６を押し込むことで、扉２が施錠される。
【００１０】
以上のように扉２の開放端側においての悪戯行為に対して、対処した自動販売機（例えば、特許文献１参照）や、さらに改良したもの（例えば、特許文献２、特許文献３）がある。
【００１１】
【特許文献１】
特開平１１−５３６３１号公報
【特許文献２】
特開２０００−３３１２３１号公報
【特許文献３】
特開２００１−１４５２７号公報
【００１２】
【発明が解決しようとする課題】
しかし、図５に示す従来例では、扉２を閉じた状態において、本体端部１ｂと相対する扉端部２ｂの間の隙間２６ａは、扉２に取付けたカバー部材２４によって外部から見えないようになるため、悪戯に対する抑止効果はあるものの、本体１の側板１ａとカバー部材２４の間の隙間２６ｂにバール等を差し込んで手前に曲げて変形させてしまうと、本体端部１ｂと相対する扉端部２ｂの間の隙間２６ａが現れることから、さらに隙間２６ａにバール等を差し込んで扉２をこじ開けられる恐れがあった。
【００１３】
また、改良された従来例においても、カバー部材２４の取付部が自動販売機の本体１外部に露出する構成のため、悪戯に対する抑止効果が低いものであった。
【００１４】
そこで、本発明は、自動販売機本体と扉の隙間部にバール等の工具を挿入し変形させようとしても隙間部に簡単に入らない目隠し板を提供すると共にバールが入って変形させても、更に目隠し板が邪魔をし、バールが自販機本体と扉部の隙間に入りにくい構造を提供し上記のような問題点を解決することを目的とする。
【００１５】
また、本発明の他の目的は、本体側と扉側の両方に目隠し板を装着したままでも、扉の開閉が容易に行えるものであり、内部に商品を補充する作業は支障なく行えることを目的とする。
【００１６】
【課題を解決するための手段】
本発明の請求項１に記載の発明は、自動販売機の本体前面に開閉自在に軸支された扉と、前記扉の開放側であって、本体端部に本体内側より延設された本体側隙間隠し部材と、扉端部に延設された扉側隙間隠し部材とからなり、前記扉側隙間隠し部材は断面がＵ字形状部を有し、扉を閉じた時、前記本体側隙間隠し部材が前記扉側隙間隠し部材のＵ字形状部に入り込む構成としたものであり、扉を閉じた状態で、本体側隙間隠し部材が前記扉側隙間隠し部材のＵ字形状部に入り込むことで、本体と扉との隙間が実質的にジグザグ状となり、本体内部に近い隙間に到達する区間が長くなり、その結果、扉のこじ開け行為に時間が掛かることで、悪戯の抑止効果が得られる作用を有する。
【００１７】
請求項２に記載の発明は、自動販売機の本体前面に開閉自在に軸支された扉と、前記扉の開放側であって、本体端部に本体内側より延設された本体側隙間隠し部材と、扉端部に延設された扉側隙間隠し部材とからなり、前記本体側隙間隠し部材と前記扉側隙間隠し部材が３面以上の相対する面を形成したものであり、本体外部から内部への侵入経路は本体側隙間隠し部材と前記扉側隙間隠し部材の間に形成された３面以上の隙間をこじ開けることが必要になり、その結果、扉のこじ開け行為に時間が掛かることで、悪戯の抑止効果が得られる作用を有する。
【００１８】
請求項３に記載の発明は、請求項１または２に記載の発明に、さらに、本体側隙間隠し部材は本体内側に設けられた補強部材にネジ部材にて取付けられ、本体外部からは前記ネジ部材が見えない取付構造としたものであり、本体外部からの悪戯行為により、前記本体側隙間隠し部材が変形したとしても、その取付ネジ部材が外部から見えない構造であるため、前記本体側隙間隠し部材そのものを外部から取り外すことができない構造であり、その結果、扉のこじ開け行為を抑制する作用を有する。
【００１９】
請求項４に記載の発明は、請求項１から３のいずれか一項に記載の発明に、さらに、本体内側に接合された補強部材は断面がコの字形状部を有し、前記本体側隙間隠し部材を前記補強部材に取付けた時、ネジ部材先端が前記コの字形状部の空間内に収まるものであり、前記本体側隙間隠し部材の取付ネジ部材の先端は断面形状がコの字状の補強部材の中に納まっており、さらに補強部材は本体に溶着されているため、実質上箱形状の中に取付ネジ部材の先端が収まることになり、扉を閉じた状態では本体側隙間隠し部材と前記扉側隙間隠し部材をこじ開けによって変形させたとしても、取付ネジ部材そのものを外部から取り外すことができない構造であり、その結果、扉のこじ開け行為を抑制する作用を有する。
【００２０】
請求項５に記載の発明は、請求項１から４のいずれか一項に記載の発明に、さらに、扉を閉じた時に、扉を本体にロックする鉤状部を有するロック部材を複数本体内側に設け、前記ロック部材の鉤状部が挿通する孔を本体側隙間隠し部材に設け、補強部材を取付けることにより、前記ロック部材の取付ネジ部材を隠蔽するものであり、ロック部材の一部である鉤状部が本体側隙間隠し部材の孔に挿通された状態で共に補強部材に取付けられる構造であるため、ロック部材は本体側隙間隠し部材の孔によって上下方向への動きを抑制され、反対に本体側隙間隠し部材はロック部材によって左右方向への動きを抑制することができ、その結果、お互いに取付強度を増すことで、扉のこじ開け行為を抑制する作用を有する。
【００２１】
請求項６に記載の発明は、請求項１から５のいずれか一項に記載の発明に、さらに、ロック部材の鉤状部が挿通する孔を扉側隙間隠し部材に設け、扉を閉じた時に、前記本体側隙間隠し部材と前記扉側隙間隠し部材とが共に前記ロック部材によって貫通されているものであり、扉側隙間隠し部材に設けた孔にロック部材の鉤状部が挿通することで、ロック部材は扉側隙間隠し部材の孔によって上下方向への動きを抑制され、反対に扉側隙間隠し部材はロック部材によって左右方向への動きを抑制することができ、さらにロック部材は本体側隙間隠し部材の孔をも挿通していることで、扉のこじ開け行為を抑制する作用を有する。
【００２２】
【発明の実施の形態】
以下、本発明の自動販売機の扉開放防止装置の実施の形態について、図面を参照しながら説明する。なお、従来と同一構成については、同一符号を付して詳細な説明を省略する。
【００２３】
（実施の形態１）
図１は本発明の実施の形態１による自動販売機の扉開放防止装置の扉の外観斜視図、図２は同実施の形態による自動販売機の扉開放防止装置の平面断面図、図３は同実施の形態による自動販売機の扉開放防止装置の斜視図である。
【００２４】
図１は従来例で説明したとおり、自動販売機の正面扉の構造であり、商品を収納する本体１と自動販売機の前面に配置し、ヒンジ３を介して回動自在に軸支された開閉可能な扉２が設けられ、扉２には、前面が透明パネル４で仕切られた商品展示室と透明パネル４に取り付けられた商品選択ボタン５と扉２を施錠するためのハンドルレバー６と商品を購入するために硬貨を投入する硬貨投入口７と紙幣を投入するための紙幣識別装置８と金銭を投入した時に金額を表示するための金額表示装置９と商品購入時に釣銭を返却するための釣銭返却口１０と購入商品を取り出すための商品取出し口１１を備えている。
【００２５】
図２、図３において、補強部材２１は従来と同様に本体の側板１ａに溶着されており、さらにロック部材２２が上下２箇所において補強部材２１にネジ２３ａにて取付けられている。
【００２６】
本体側隙間隠し部材３１は複数のネジ２３ｂにて補強部材２２に沿うように取付られている。取付けネジ２３ｂの先端は、コの字状に加工された補強部材２２と本体側板１ａとの間に形成された空間３７に隠れる構造となっている。
【００２７】
本体側隙間隠し部材３１にはロック部材２２の先端鉤状部２２ａが挿通できる孔３２が上下２箇所に設けられており、ロック部材２２を取付けた後に鉤状部３３を孔３２に挿通し、補強部材２１に取付ける。本体側隙間隠し部材３１の断面は図２に示すとおり、Ｚ型に曲げ加工されており、補強部材２１に取付けた面３１ａから本体の前面端１ｂで９０度曲げ加工された面３１ｂが形成され、さらに手前に９０度曲げ加工された面３１ｃが形成されている。加工面３１ｃは本体側板１ａと平行で、やや外側に飛び出した状態で取り付けられている。
【００２８】
図３において、扉側隙間隠し部材３５は、本体側隙間隠し部材３１と上下方向にほぼ同じ長さで形成され、本体の前面端１ｂの相対する扉２の内側面３６ａに複数のネジ２３ｃで取付けられている。また、上下２箇所には扉側に取付けたロック部材２２の先端鉤状部２２ａが挿通できる孔３３が設けられている。
【００２９】
図２の断面図において、扉側隙間隠し部材３５の断面形状は、まず扉２の内側面３６ａの取付け面３５ａと先端がＵ字状に曲げ加工され、Ｕ字溝（Ｕ字形状部）３５ｅが形成されている。さらにＵ字溝３５ｅは扉２の側面３６ｂに沿うように９０度曲げ加工された加工面３５ｂと９０度曲げ加工された加工面３５ｃと、さらに９０度曲げ加工された加工面３５ｄで構成されており、断面形状は柄杓のような形状となっている。扉２と扉側隙間隠し部材３５は加工面３５ａと加工面３５ｂの２面で接している。
【００３０】
ここで、補強部材２１の断面は従来例と同じ形状であり、ジグザグ状に曲げ加工され、曲げ強度を得ている。補強部材２１を本体の側板１ａに溶着された状態では、箱状空間３７が形成され、ロック部材２２と本体側隙間隠し部材３１の取り付けネジ２３、ネジ２３ｂの先端が箱状空間３７に留まることで、本体外部からネジ２３ａ、ネジ２３ｂは隠されている。
【００３１】
また、本体側板１ａの前面端１ｂは略コの字状に曲げ加工されており、本体側隙間隠し部材３１を補強部材２１に取付けた状態の水平断面において、本体側板１ａと補強部材２１と本体側隙間隠し部材３１によって、箱状空間３７と、さらに箱状空間３８が形成され、扉２との嵌合部である本体側の端部が補強された形となっている。
【００３２】
以上のように構成された自動販売機の扉開放防止装置について、以下その動作を説明する。
【００３３】
図１、図２は、自販機本体と扉２がロック部材２２にて施錠され扉２が閉まった状態である。図３は扉２を開けた状態である。
【００３４】
扉２を閉じる場合、図３の状態から扉２を閉じていくとロック部材２２の先端鉤状部２２ａが扉２に取付けた扉側隙間隠し部材３５に設けた孔３３と扉２の角孔（図示しない）を挿通し、扉２の内部に侵入する。
【００３５】
扉２の内部には、スライド部材２５が配置されており、ロック部材２２の先端鉤状部２２ａが入り込む角孔（図示しない）が設けられて、扉２が完全に閉まると同時に、スライド部材２５が下方にスライドし、スライド部材２５に設けた角穴がロック部材２２の先端鉤状部２２ａに引っかかることで扉２が施錠される。
【００３６】
ここで、ロック部材２２の先端鉤状部２２ａが本体側隙間隠し部材３１の孔３２と扉側隙間隠し部材３５の孔３３を挿通し、さらにスライド部材３５の角孔（図示しない）に施錠されることで、本体側隙間隠し部材３１の孔３２と扉側隙間隠し部材３５の孔３３はロック部材２２が挿通できる最小限の大きさであり、ロック部材２２の上下左右方向への動きを規制することができ、また合わせてロック部材２２が本体側隙間隠し部材３１と扉側隙間隠し部材３５の上下左右への動きを規制することができることから、お互いに取付部の強度アップを図ることができる。
【００３７】
扉２を施錠した時、本体側隙間隠し部材３１の先端部３１ｄは扉側隙間隠し部材３５のＵ字溝３５ｅに入り込むように構成されている。この構成では、本体側隙間隠し部材３１と扉側隙間隠し部材３５はそれぞれの面が３面で相対しており、本体１と扉２のＡ部（図１）における隙間は図２の断面で示すとおり迷路状に形成されており、隙間にバール等を差し込む悪戯に対し、本体１の内部までの侵入を防ぐことができます。
【００３８】
例えば、扉２が閉じた状態で、バール等をＵ字溝３５ｅに差し込んだ場合、本体側隙間隠し部材３１の加工面３１ｃに接触し、本体１の内部に直接侵入することができない。本体１の内部に侵入するためには、まず扉側隙間隠し部材３５の先端の加工面３５ｃを扉の前面方向へ変形させる必要があるが、扉側隙間隠し部材３５の加工面３５ａと３５ｂは扉２の内側面３６ａと側面３６ｂに接するように取付けられているため、加工面３５ｂは変形することがなく、そのため、加工面３５ｂと加工面３５ｃ変形に対し強い構造となっている。
【００３９】
また、扉側隙間隠し部材３５を変形させても、次に本体側隙間隠し部材３１の加工面３１ｃが本体１と扉２の隙間を塞いでおり、本体１内部への侵入を防いでいる。
【００４０】
次に扉２のハンドル６を回す事でスライド部材２５が移動し、ロック部材２２とスライド部材２５の施錠が解除され扉２が開放されるが扉隙間隠し部材３５は扉２に固定されており同時に開放され通常の開閉動作にはスムーズに行うことができる。
【００４１】
このように、本実施の形態では、本体端部に本体内側より延設された本体側隙間隠し部材３１と、扉端部に延設された扉側隙間隠し部材３５とからなり、扉側隙間隠し部材３５は断面がＵ字溝３５ｅを有し、扉２を閉じた状態で、本体側隙間隠し部材３１が前記扉側隙間隠し部材３５のＵ字溝３５ｅに入り込むことで、本体１と扉２との隙間が実質的にジグザグ状となり、本体内部に近い隙間に到達する区間が長くなり、その結果、扉２のこじ開け行為に時間が掛かることで悪戯の抑止効果が得られる。
【００４２】
また、扉閉時は前記本体隙間隠し部材３１の加工面３１ｃの先端部３１ｄが扉隙間隠し部材３５のＵ字溝３５ｅの中に入る為、隙間部が２重に目隠しされた構造となり、バール等で扉側隙間隠し部材３５を変形させても更に本体側隙間隠し板３１が逆方向から設けてあり、簡単にはバールを挿入することはできない。このような本体隙間隠し部材３１と扉隙間隠し部材３５の構成によれば、悪戯を防止する部材の自動販売機本体から飛び出し量を小さくすることができ、その結果、設置スペースが小さくなり、低価格で堅牢性の強化を図ることができる。
【００４３】
また、本体側板１ａの前面端１ｂは略コの字状に曲げ加工されており、本体側隙間隠し部材３１を補強部材２１に取付けた状態の水平断面において、本体側板１ａと補強部材２１と本体側隙間隠し部材３１によって、箱状空間３７と、さらに箱状空間３８が形成され、扉２との嵌合部である本体側の端部が補強された形となっているため、本体１の側面前部は変形に対し強度がアップが図れ、悪戯行為を防ぐ効果があります。
【００４４】
また、扉側隙間隠し部材３５の加工面３５ａと３５ｂは扉２の内側面３６ａと側面３６ｂに接するように取付けられているため、加工面３５ｂは変形することがなく、そのため、加工面３５ｂと加工面３５ｃ変形に対し強い構造となっているために、扉側隙間隠し部材３５は悪戯による変形に対して強度アップが図れ、悪戯行為を防ぐ効果があります。
【００４５】
【発明の効果】
以上説明したように請求項１に記載の発明は、自動販売機の本体前面に開閉自在に軸支された扉と、前記扉の開放側であって、本体端部に本体内側より延設された本体側隙間隠し部材と、扉端部に延設された扉側隙間隠し部材とからなり、前記扉側隙間隠し部材は断面がＵ字形状部を有し、扉を閉じた時、前記本体側隙間隠し部材が前記扉側隙間隠し部材のＵ字形状部に入り込む構成としたものであり、扉を閉じた状態で、本体側隙間隠し部材が前記扉側隙間隠し部材のＵ字形状部に入り込むことで、本体と扉との隙間が実質的にジグザグ状となり、本体内部に近い隙間に到達する区間が長くなり、その結果、扉のこじ開け行為に時間が掛かることで、扉の開放に至る悪戯に対して大きい抑止効果が得られる。
【００４６】
請求項２に記載の発明は、自動販売機の本体前面に開閉自在に軸支された扉と、扉の開放側であって、本体端部に本体内側より延設された本体側隙間隠し部材と、扉端部に延設された扉側隙間隠し部材とからなり、本体側隙間隠し部材と扉側隙間隠し部材が３面以上の相対する面を形成したものであり、本体外部から内部への侵入経路は本体側隙間隠し部材と扉側隙間隠し部材の間に形成された３面以上の隙間をこじ開けることが必要になり、その結果、扉のこじ開け行為に時間が掛かることで、扉の開放に至る悪戯に対して大きい抑止効果が得られる。
【００４７】
請求項３に記載の発明は、請求項１または２に記載の発明に、さらに、本体側隙間隠し部材は本体内側に設けられた補強部材にネジ部材にて取付けられ、本体外部からは前記ネジ部材が見えない取付構造としたものであり、本体外部からの悪戯行為により、本体側隙間隠し部材が変形したとしても、その取付ネジ部材が外部から見えない構造であるため、前記本体側隙間隠し部材そのものを外部から取り外すことができない構造であり、本体外部から悪戯できる箇所を見つけることができないために、扉のこじ開け行為に対し、扉の開放に至る悪戯に対して大きい抑止効果が得られる。
【００４８】
請求項４に記載の発明は、請求項１から３のいずれか一項に記載の発明に、さらに、本体内側に接合された補強部材は断面がコの字形状部を有し、本体側隙間隠し部材を前記補強部材に取付けた時、ネジ部材先端が前記コの字形状部の空間内に収まるものであり、本体側隙間隠し部材の取付ネジ部材の先端は断面形状がコの字状の補強部材の中に納まっており、さらに補強部材は本体に溶着されているため、実質上箱形状の中に取付ネジ部材の先端が収まることになり、扉を閉じた状態では本体側隙間隠し部材と前記扉側隙間隠し部材をこじ開けによって変形させたとしても、取付ネジ部材そのものを外部から取り外すことができない構造であり、本体外部から悪戯できるネジの取り付け箇所を見つけることができないために、扉のこじ開け行為に対し、扉の開放に至る悪戯に対して大きい抑止効果が得られる。
【００４９】
請求項５に記載の発明は、請求項１から４のいずれか一項に記載の発明に、さらに、扉を閉じた時に、扉を本体にロックする鉤状部を有するロック部材を複数本体内側に設け、ロック部材の鉤状部が挿通する孔を本体側隙間隠し部材に設け、補強部材を取付けることにより、ロック部材の取付ネジ部材を隠蔽するものであり、ロック部材の一部である鉤状部が本体側隙間隠し部材の孔に挿通された状態で共に補強部材に取付けられる構造であるため、ロック部材は本体側隙間隠し部材の孔によって上下方向への動きを抑制され、反対に本体側隙間隠し部材はロック部材によって左右方向への動きを抑制することができ、その結果、お互いに取付強度を増すことができ、扉の開放に至る悪戯に対して大きい抑止効果が得られる。
【００５０】
請求項６に記載の発明は、請求項１から５のいずれか一項に記載の発明に、さらに、ロック部材の鉤状部が挿通する孔を扉側隙間隠し部材に設け、扉を閉じた時に、本体側隙間隠し部材と扉側隙間隠し部材とが共に前記ロック部材によって貫通されているものであり、扉側隙間隠し部材に設けた孔にロック部材の鉤状部が挿通することで、ロック部材は扉側隙間隠し部材の孔によって上下方向への動きを抑制され、反対に扉側隙間隠し部材はロック部材によって左右方向への動きを抑制することができ、さらにロック部材は本体側隙間隠し部材の孔をも挿通していることで、扉のこじ開け行為による無理な力が加わっても扉の強度を保つことができ、扉の開放に至る悪戯に対して大きい抑止効果が得られる。
【図面の簡単な説明】
【図１】本発明による自動販売機の扉開放防止装置の実施の形態１の斜視図
【図２】同実施の形態の自動販売機の扉開放防止装置の平面断面図
【図３】同実施の形態の自動販売機の扉開放防止装置の扉を開けた状態の斜視図
【図４】従来の自動販売機の扉開放防止装置の平面断面図
【符号の説明】
１    本体
２    扉
２１  補強部材
２２  ロック部材
２３ｂ  ネジ
３１  本体側隙間隠し部材
３５  扉側隙間隠し部材
３５ｅ  Ｕ字溝（Ｕ字形状部）
【図１】
2004252740.tif 000003
【図２】
2004252740.tif 000004
【図３】
2004252740.tif 000005
【図４】
2004252740.tif 000006